(57)【要約】【課題】不使用時は受け入れ支持バーが自重により自動的に折りたたまれ、使用時は新聞紙等の嵩に応じて受け入れ支持バーの受け入れ口が押し広がる新聞受けを提供する。【解決手段】玄関扉又は袖パネルに形成した左右枢支部に、新聞を受け入れる略U字形支持バーの開放側左右基端を上下回動可能に枢着し、該U字形支持バーをその下降下死点においてU字形支持バーの下端横フレームとパネル表面の間に新聞の下端が係合する隙間が形成されるように配設する。該U字形支持バーの下方の玄関扉又は袖パネル表面に、受け入れ物の係止部を設ける。【選択図】図３
0003180171.tif 000002
【実用新案登録請求の範囲】
【請求項１】
玄関扉又は袖パネルに形成した左右枢支部に、新聞を受け入れる略U字形支持バーの開放側左右基端を上下回動可能に枢着し、該U字形支持バーをその下降下死点においてU字形支持バーの下端横フレームとパネル表面の間に新聞の下端が係合する隙間が形成されるように配設するとともに、該U字形支持バーの下方の玄関扉又は袖パネル表面に、受け入れ物の係止部を設けたことを特徴とする玄関周りの新聞受け
【請求項２】
玄関袖パネル（1）の左右側面に形成した左右枢支部（3a）、（3b）に、ロッド材からなる略U字形支持バー（4）の左右ロッドアーム（4a）、（4b）のロッド基端（5a）、（5b）を上下回動可能に枢着し、該U字形支持バー（4）をその下降下死点においてＵ字形支持バー（4）の横ロッド（4c）と袖パネル（1）表面間に新聞紙等Sの下端が係合する隙間（7）が形成されるように前記U字形支持バー（4）の横ロッド（4c）の下端横ロッド付近を前方に湾曲させるとともに、袖パネル（1）の前記左右枢支部（3a）、（3b）の下方にU字形支持バー（4）の下降下死点を規制する係止ピン（8）を取付け、該U字形支持バー（4）の下方の袖パネル（1）表面に、新聞紙等Sの係止部（6）を設けたことを特徴とする玄関袖パネルの新聞受け
【請求項３】
玄関袖パネル（1）の表面に形成した左右枢支部（9a）、（9b）に、プレート材からなる略U字形支持バー（10）の左右プレートアーム（10a）、（10b）のアーム基端（11a）、（11b）を上下回動可能に枢着し、該U字形支持バー（10）の枢着部下方にU字形支持バー（10）の下降下死点を規制する係止突起部（12a）、（12b）を一体形成して該U字形支持バー（10）をその下降下死点においてU字形支持バー（10）の横プレート（10c）とパネル（1）表面の間に新聞紙等Sの下端を係合できる隙間（7）が形成されるように前方へ下端傾斜させるとともに、前記横プレート（10c）を下方へ向けて延びる屈曲縁辺に形成し、さらに、該U字形支持バー（10）の下方の袖パネル（1）表面に、新聞紙等Sの係止部（6）を設けたことを特徴とする玄関袖パネルの新聞受け
【考案の詳細な説明】
【技術分野】
【０００１】
本考案は集合住宅等の玄関扉周り、特に袖パネルに設ける新聞受けに関し、詳細には回動により新聞紙等をその嵩高に応じてコンパクトに収納する可動式新聞受けに関する。
【背景技術】
【０００２】
従来、集合住宅の新聞受けは玄関ドアに開閉具付きの投入口を設け、投入口から押し込んだ新聞紙等をドア裏側の受枠に収容する形式のものが多用されている。
投入口はドアの気密性保持の面からあまり大きくできないのに対し、近年の新聞紙は頁数の増加に加えて多量の折り込み広告を挟んで配達されるため、投入口に差し入れることが困難となり、時には新聞を通路に置き去るという問題まで生じている。
この問題を解決する手段として、袖パネルやドア（以下、袖パネルという）の表側に新聞紙等の受入れ支持バーとその下方の支持受け部からなる新聞受けを設けることが、特開2008-113815号公報、実用新案登録第3011054号公報に記載されている。
【先行技術文献】
【特許文献】
【０００３】
【特許文献１】特開2008−113815号公報
【特許文献２】実用新案登録第3011054号公報
【考案の概要】
【考案が解決しようとする課題】
【０００４】
しかしながら、上記従来技術の新聞受けは、受け入れ支持バーを袖パネル等の外側に常時突出させた状態で固定する構造であるため、突出幅が狭いと新聞紙が入らないという従来の問題は解決されず、また突出幅を広くすると、受け入れ支持バーが常時通路側に大きくはみ出しているため危険であり、美観を損なうことにもなる。
【０００５】
したがって、本考案は、通常（不使用時）は受け入れ支持バーが自重で袖パネルの壁面に沿って自動的に折りたたまれ、使用時は新聞紙等の嵩に応じて受け入れ支持バーの受け入れ口が押し広がり、しかも片手で新聞紙等の挿入ができる新聞受けを提供することにある。
【課題を解決するための手段】
【０００６】
上記の課題を解決するため、玄関扉又は袖パネルに形成した左右枢支部に、新聞を受け入れる略U字形支持バーの開放側左右基端を上下回動可能に枢着し、該U字形支持バーをその下降下死点においてU字形支持バーの下端横フレームとパネル表面の間に新聞の下端が係合する隙間が形成されるように配設するとともに、該U字形支持バーの下方の玄関扉又は袖パネル表面に、受け入れ物の係止部を設けたことを特徴とする
【０００７】
本考案を袖パネルに適用する場合は、玄関袖パネルの左右側面に形成した左右枢支部に、ロッド材からなる略U字形支持バーの左右ロッドアームのロッド基端を上下回動可能に枢着し、該U字形支持バーをその下降下死点においてU字形支持バーの横ロッドと袖パネル表面間に新聞紙等の下端が係合する隙間が形成されるように前記U字形支持バーの横ロッドの下端横ロッド付近を前方に湾曲させるとともに、袖パネルの前記左右枢支部の下方にU字形支持バーの下降下死点を規制する係止ピンを取付け、該U字形支持バーの下方の袖パネル表面に、新聞紙等の係止部を設けた構成にする。
【０００８】
また、袖パネルに適用する他の手段として、玄関袖パネルの表面に形成した左右枢支部に、プレート材からなる略U字形支持バーの左右プレートアームのアーム基端を上下回動可能に枢着し、該U字形支持バーの枢着部下方にU字形支持バーの下降下死点を規制する係止突起部を一体形成して該U字形支持バーをその下降下死点においてU字形支持バーの横プレートとパネル表面の間に新聞紙等の下端を係合できる隙間が形成されるように前方へ下端傾斜させるとともに、前記横プレートを下方へ向けて延びる屈曲縁辺に形成し、さらに、該U字形支持バーの下方の袖パネル表面に、新聞紙等の係止部を設けた構成にしてもよい。
【考案の効果】
【０００９】
本考案の新聞受けは上記のように構成されているので、自重で降下しているU字形支持バーの横ロッド（フレーム）と玄関扉又は袖パネル表面の間の隙間に上方から新聞紙等を片手で差し入れると新聞紙等の下端が横ロッド又は横フレームに摺接し、梃子作用で横ロッド（フレーム）が前方へ押し出されて隙間が拡張されることにより、軽く押し下げるだけで新聞紙等を下方係止位置へ差し込むことができると同時に、差し込み作用に連動して横ロッド（フレーム）が新聞紙等の嵩高に応じて上方へ自然に変位し新聞紙等を支持する。
この場合、U字形支持フレームは通常は邪魔にならない位置に自重で降下しており、新聞紙等を差し込む時だけ前方へ張出すが、張出し量はその日の新聞紙等の嵩高分だけに抑えられる。
【図面の簡単な説明】
【００１０】
【図１】本考案の一実施例による新聞受けの取付け正面図
【図２】図１の右側面図
【図３】図１実施例の使用説明図であって、図３(a)は差し入れ係合初期、図3(ｂ)は差し入れ進行過程、図３(c)は差し入れ完了の状態を示す。
【図４】本考案の他の実施例による新聞受けの取付け正面図
【図５】図３の左側面図
【図６】図４実施例のU字形支持バーの斜視図
【考案を実施するための形態】
【００１１】
図１〜図３は玄関扉の袖パネルに本願請求項１の考案を実施した場合の一例を示すもので、袖パネル1は一般に住居ナンバープレート、ネームプレート、インターフォン等を取付ける表示部2を設けてあり、玄関扉（図は省略）と平行に建物壁に一体設置される。
図１、図２実施例の新聞受けは、袖パネル1の左右側面に設けた左右枢支部3a、3bに金属製又は硬質プラスチック製のロッド材からなる略U字形支持バー4の左右アームロッド4a、4bのロッド基端5a、5bを上下回動可能に枢着し、このU字形支持バー4の下方の袖パネル1表面に係止部6を形成してある。
【００１２】
前記U字形支持バー4は、図２に示すように、下降回動下死点（限度位置）においてU字形支持バー4の横ロッド4cと袖パネル1の表面の間に投入新聞の下端を係合できる隙間7が形成されるように構成されている。
このため、横ロッド4cと一体のU字形支持バー4の左右ロッドアーム4a、4b先端側を袖パネル1の前方へ向けて湾曲状に形成するとともに、U字形支持バー4の前記枢支部3a、3b下方の袖パネル1側面に前記左右ロッドアーム4a、4bの下降回動下死点を規制する係止ピン8を固設してある。
【００１３】
ちなみに、図の実施例ではU字形支持バー4の横巾を約170mm、ロッドアーム4a、4bの上下長さを100mm、U字形支持バー4が自重で下降回動下死点に降下した時の横ロッド4cの張出し長さ及び係止部6の突出長さを約40mmに設定してある。
【００１４】
図３は図１、２実施例の新聞受けに新聞紙等を収納する際の操作・機能を説明するもので、図２に示すように通常時（不使用時）にはU字形支持バー4は自重で下降回動下死点に降下している。
この状態で図３（a）に示すようにU字形支持バー4の横ロッド4cとパネル間の隙間7に新聞紙等Sの下端を係合させ、先端側を軽くパネル側に起こすと梃子作用で図３（b）に示すようにU字形支持バー4の横ロッド4cが上方へはね上げられるため、新聞紙等SがS1、S2、S3の順に下方へ落ち込むとともにU字形支持バー4が上方へ回動し、図３（c）に示すように新聞紙等SはU字形支持バー4に支えられながら係止部6に係止される。
【００１５】
図４〜図５は本考案の他の実施例を示すもので、袖パネル1の表面に形成した左右枢支部9a、9bにアルミなどのプレ―ト材からなる略U字形支持バー10の左右プレートアーム10a、10bのアーム基端11a、11bを枢着し、このプレートアーム10a、10bの前記基端枢支部11a、11bの下方にプレートアーム10a、10bの下降下死点を規制する係止突起部12a、12bを一体形成して該U字形支持バー10をその下降下死点において横プレート10cとパネル1表面の間に新聞の下端を係合できる隙間7が形成されるように前方へ下端傾斜させてある。
好ましくは、前記横プレート10cに下方へ向けて延びる湾曲辺13を形成し、差し入れた新聞紙等が隙間7に対向する前記湾曲辺13に係合し易くする。
【００１６】
図の実施例では本考案の新聞受けを玄関袖パネルに設ける場合を例示しているが、本考案はこれに限定されるものではなく、図４、５の実施例に準じて玄関扉の外側パネルに設けることも可能であり、これを含むものである。
【産業上の利用可能性】
【００１７】
本考案の新聞受けは、使用しないときはU字形支持バーが自重で最下位位置に回動して通路を邪魔することがなく、使用時は片手で新聞等を横ロッド（フレーム）に係合させるだけで梃子作用で新聞紙等の嵩に応じた差しいれ支持口が無理なく確保されるので安全で、しかも新聞配達の労苦を軽減できる。
【符号の説明】
【００１８】
1…袖パネル
2…表示部
3a、3b…枢支部
4…（ロッド材）U字形支持バー
4a、4b…ロッドアーム
4c…横ロッド
5a、5b…ロッド基端
6…係止部
7…隙間
8…係止ピン
9a、9b…枢支部
10…（プレート材）U字形支持バー
10a、10b…プレートアーム
10c…横プレート
11a、11b…アーム基端
12a、12b…係止突起部
13…湾曲辺
S…新聞紙等
【図１】
0003180171.tif 000003
【図２】
0003180171.tif 000004
【図３】
0003180171.tif 000005
【図４】
0003180171.tif 000006
【図５】
0003180171.tif 000007
【図６】
0003180171.tif 000008